(57)【要約】【解決手段】本発明は、双安定弾性ばねの形態をなして支持ストリップ（１０４）上のコンタクト要素（１１４，１１６）を支持するばね（１０１）と、ばねを駆動するために制御状態に応じた形状記憶材料からなる少なくとも１個の駆動要素とを具備する双安定電気スイッチに関する。ばねは、一端（１０２）で永久クランプされ縦延長部の方向に沿って圧縮歪を受けるリーフ（１１０）を有する。リーフに座屈が生じて一側に曲がり、双安定端子状態の一方になる。ばね領域は、安定端子位置では異なる横位置をとる。駆動要素（１１８，１１９）は、リーフの自由端（１０４）に作用し、自由端の傾きの結果、リーフは第２安定端子状態に切り換わる。
2004510288.tif 000002
【特許請求の範囲】
【請求項１】
双安定電気スイッチとして構成されたばねであって該ばねの一領域に少なくとも１個のコンタクト要素（１４，１１４，１１５，１１６，２１４，２１６）を担持するばね（１，１’，１０１，２０１）と、該ばねを駆動するためにスイッチ状態に応じた形状記憶材料製の少なくとも１個の駆動要素（１８，１９，１１８，１１９，２１８，２１９）とを具備する双安定電気スイッチにおいて、
前記ばねは、板の直線延長方向に沿って十分に高い圧力を適当に受けて一側に向かって２つの安定最終状態のうちの一方へ膨らむことにより前記圧力を軽減する少なくとも１枚の前記板（１０，１１０，２１０）を有し、
前記安定最終状態にある前記ばねの前記領域は、異なる横方向の位置を取り、
前記駆動要素は前記板上に作用し、接触点での前記板の位置が変化する結果、前記板が第２安定最終状態に素早く移動することを特徴とする双安定電気スイッチ。
【請求項２】
前記板（１１０）は一端（１０２）で前記ばね（１０１）にしっかり固定され、
前記駆動要素（１１８，１１９）は前記板の自由端（１０４）に作用し、該自由端が傾くことにより該自由端が前記第２最終状態に素早く移動することを特徴とする請求項１記載の双安定電気スイッチ。
【請求項３】
前記ばね（２０１）は中央領域に取り付けられ、
前記駆動要素（２１８，２１９）は前記板（２１０）の中央の前記板に作用し、該板の縦延長方向に直交する横移動の結果、前記板が前記第２最終状態に素早く移動することを特徴とする請求項１記載の双安定電気スイッチ。
【請求項４】
前記板は両自由端にコンタクト要素を担持することを特徴とする請求項３記載の双安定電気スイッチ。
【請求項５】
前記駆動要素として、異なる相では異なる長さを有するワイヤが使用されていることを特徴とする請求項１ないし請求項４のうちいずれか１項記載の双安定電気スイッチ。
【請求項６】
温度上昇の結果、前記ワイヤが一方の相から他方の相へ移行することを特徴とする請求項５記載の双安定電気スイッチ。
【請求項７】
前記ワイヤに電流が流れる結果、前記温度上昇が起きることを特徴とする請求項６記載の双安定電気スイッチ。
【請求項８】
前記ばね（１，１’，１０１，２０１）は平坦形状のばねとして構成されることを特徴とする請求項１ないし請求項７のうちいずれか１項記載の双安定電気スイッチ。
【請求項９】
前記平坦形状のばねは、互いに略平行に配置された複数の板（９，１０，１１，１０９，１１０，１１１，２０９，２１０，２１１）を有し、
該複数の板は、該板の端部で互いに連結され、
１以上の前記板は、塑性変形部により長く又は短くされていることを特徴とする請求項８記載の双安定電気スイッチ。
【請求項１０】
前記塑性変形部はひだ部であることを特徴とする請求項９記載の双安定電気スイッチ。
【請求項１１】
前記塑性変形部は打抜き形成された部分であることを特徴とする請求項９記載の双安定電気スイッチ。
【請求項１２】
前記コンタクト要素（１４，１５，１１５，１１６，２１４，２１６）は前記ばねに電気的に接続されていることを特徴とする請求項１ないし請求項１１のうちいずれか１項記載の双安定電気スイッチ。
【請求項１３】
前記コンタクト要素は、絶縁中間要素により前記ばねにしっかり接続されていることを特徴とする請求項１ないし請求項１１のうちいずれか１項記載の双安定電気スイッチ。
【請求項１４】
スロットにより３枚の板に分割され、広い側がしっかり固定された台形状ばねが設けられていることを特徴とする請求項１又は請求項２記載の双安定電気スイッチ。
【請求項１５】
前記板の幅は、狭い側から前記広い側へ一定の割合で広がることを特徴とする請求項１４記載の双安定電気スイッチ。
【請求項１６】
スナップ動作するばね（３０１）が２個の単一ばね（３０２，３０２’）からなり、
該２個のばねは、接続要素（３０５，３０６）により寸法的に安定した状態で互いに連結されていることを特徴とする請求項１、請求項２、請求項５ないし請求項１２のうちいずれか１項記載の双安定電気スイッチ。
【請求項１７】
前記単一のばね（３０２，３０２’）は、良好なばね特性を有する導電材料製であり、
前記接続要素（３０５，３０６）は、前記単一のばね（３０２，３０２’）を互いに電気的に絶縁することを特徴とする請求項１６記載の双安定電気スイッチ。
【請求項１８】
２つの前記単一ばね（３０２，３０２’）は、転換スイッチコンタクト構造の中央コンタクトをそれぞれ構成することを特徴とする請求項１６又は請求項１７記載の双安定電気スイッチ。
【請求項１９】
前記スイッチは逆極性スイッチリレーであることを特徴とする請求項１６ないし請求項１８のうちいずれか１項記載の双安定電気スイッチ。
【請求項２０】
請求項１ないし請求項１５のうちいずれか１項記載の双安定電気スイッチを有することを特徴とするリレー。
【発明の詳細な説明】
【０００１】
本発明は、双安定スナップ動作ばねとして形成されたばねであって、ばねの少なくとも一端にコンタクト要素を担持するばねと、ばねを駆動するためにスイッチ状態に応じた形状記憶材料から製造された少なくとも１個の駆動要素とを具備する双安定電気スイッチに関する。さらに、本発明は、このような双安定電気スイッチを有するリレーに関する。
【０００２】
駆動要素、ばねコンタクト、並びに第１及び第２コンタクト要素と同様に形状記憶材料から製造された第１及び第２ワイヤからなるスイッチは、米国特許第５９９０７７０号明細書で公知である。駆動要素は、略Ｔ字形状をなし、Ｔ字の足部で回動する。形状記憶材料で製造されたワイヤはＴ字の交差部の両端に配置され、その長さは温度によって変化する。温度は、ワイヤを流れる電流によって変化させることが可能である。通電による発熱の結果、ワイヤは第１相から第２相に移行する。第１コンタクト要素はばねコンタクトに連結されるが、第２コンタクト要素は剛体である。ばねは、駆動要素により駆動され、第１安定最終状態から第２安定最終状態に移行する双安定スナップ動作ばねである。ばね自体は、Ｕ字状スロットにより３領域に分割される。両外側領域は、Ｕ字状ばねにより中央切断舌片に連結される。駆動要素は、中央舌片のみに作用する。中央舌片の移動の結果、Ｕ字状ばねの作用により、ばね全体が２つの安定最終状態間を前後に移動する。
【０００３】
この構造の不利な点は、比較的大きな空間を要し、ばねの構造が極端に複雑であり、付加的な駆動要素を要することである。
【０００４】
本発明は、双安定電気スイッチ及びこのようなスイッチを有するリレー、特に簡単な構造の双安定スナップ動作ばね及びスイッチを規定することを目的とする。
【０００５】
上記目的は、請求項１に記載された特徴を有する構造及び請求項２０に記載された特徴を有するリレーにより達成される。
【０００６】
本発明の双安定電気スイッチは双安定スナップ動作ばねを使用する。このスイッチは、ばねの直線延長特性と比べて薄い又は狭いばねの一部、換言すると板が、板の直線延長方向に沿って十分に高い圧力を適当に受けることで製造される。このため、板は、膨らみ又は座屈して圧力を軽減する。
【０００７】
ばねは、少なくとも一領域に少なくとも１個のコンタクト要素を担持する。コンタクト要素を担持するばね領域の横移動は、板の座屈移動に関連する。これら横移動は、回路を開閉するのに使用される。
【０００８】
スナップ動作ばねは両最終状態で安定する、すなわち小さな撓みにより同一の最終状態へばねが戻る。このため、ばねは、両最終状態で静的な接触力を印加することができる。
【０００９】
一最終状態から別の最終状態へのばねの切換え駆動は、１個以上の形状記憶材料製の要素によって実現される。これら駆動要素は、異なる機械的特性を示す２相をそれぞれ有する。駆動要素は、駆動要素に流れる電流による温度上昇によって一方の相から他方の相に移行すると、非線形ばねへ切り換えるように機械的に作動する。
【００１０】
特に、双安定電気スイッチが非常に軽量で、低コストで製造できる点が利点である。
【００１１】
両スイッチ状態で接触力を与える非線形ばね作用を使用することが別の利点である。
【００１２】
ばねが一体部品として構成され、容易に製造できる点が別の利点である。この利点は、平坦状ばねが非線形ばねとして使用され、ばねの縦方向の応力が１以上の領域の塑性変形により生ずることにより達成される。
【００１３】
平坦状のばねの特に有利な構成は、複数の板に分割されたことによる細長スロットを有する。複数の板はそれらの端部で互いに連結される。２個の細長スロットを設けることは特に有利である。例えば曲げ等の塑性変形により、ばねの１以上の板を短くすることが可能である。この結果、圧力は短くされていない他の板上に作用する。このため、他のばねが膨らみ又は座屈するので、圧力を軽減する。また、塑性変形は打抜きの形態で構成されるので、平坦状ばねの１枚以上の板を延ばす。このため、延びた板は、膨らみ又は座屈により軽減される圧力を受ける。
【００１４】
非線形ばねとして台形状ばねを使用し、ばねの板が台形状ばねの狭い側から広い側に一定の割合で広がることが別の利点である。この場合、ばねの広い側をしっかり固定することができる。台形状のばね形状の使用により、負荷の一様分布が保証される。板の幅が１：２：１の比を有すると特に有利である。
【００１５】
非線形ばねの個々の板に形成された曲げの補助によりばねを調整できることが利点である。ばねの撓みは曲げの深さにより決定される。一方の安定最終状態から他方の安定最終状態へ切り換えるのに要する力は、曲げの弾性ヒステリシスによっても決定される。台形状ばねが底部に向かって広がる事実の結果、形成された曲げの位置を変更することにより、一方の最終状態から他方の最終状態へ選択された撓みが独立して移行するために要する力を選択する機会が生ずる。というのは、板の狭い領域に形成されたひだ部（Ｓｉｃｋｅ）は、板の広い領域に形成されたひだ部よりも弱い切換え動作となるからである。
【００１６】
コンタクト要素をばねに電気的に接続することができ、或いは中間絶縁要素によりばねに接続することができることが別の利点である。絶縁材料を設けることは、開離コンタクトから発生するスイッチアークが反対側の固定コンタクトに最早飛ぶことがないという利点がある。
【００１７】
レバーを介して形状記憶材料製の駆動要素にばねを接続できることは別の利点である。この場合、少なくとも１個の駆動要素が各スイッチ状態用に必要である。駆動要素として、２相において異なる長さを有するワイヤを使用することができる。駆動要素は通電により加熱されるので、他方の相に移行する。ワイヤは短くなっているので、スナップ動作ばねに動的効果を及ぼして一方の安定最終状態から他方の安定最終状態に移行する。
【００１８】
駆動要素はゆっくりと加熱されるが、スナップ動作機構は、スナップ動作により一側の電気コンタクトが迅速に開離して他側に移動して接触力が突然始動することを保証する。
【００１９】
切換え移動が生ずると直ぐに形状記憶材料製のワイヤを流れる電流が遮断される補助スイッチを設けることは別の利点である。補助スイッチにより、ワイヤを連続的に流れるとワイヤを破壊するが電流が流れる時間が短いと耐えられるのでワイヤの破壊を招かない電流で、ワイヤを充電することができる。制御回路でのこのような高い電流により、リレーに代表される迅速な切換えを可能にする。
【００２０】
本発明のスイッチをリレーとして使用すると有利である。
【００２１】
逆極性のスイッチとしての構造を使用する別の発明を構成することは別の利点である。この双安定スイッチの使用は、スナップ動作ばね及びコンタクト配置の特定の形状の結果、可能である。この場合、電気的に分離された二重スナップ動作ばねとして、非導電性要素により寸法安定性を有した状態で互いに連結された２個の単一ばねからスナップ動作ばねを形成すると有利である。これら２個の単一ばねは、２個の固定コンタクト間を移動する転換スイッチコンタクト構造の中心コンタクトを各々構成する。
【００２２】
以下、図面を参照して本発明の実施形態を説明する。図１は、ひだ部がばねの狭い領域に配置された台形状ばねの第１実施形態の平面図である。図２は、図１のばねの側面図である。図３は、ひだ部の拡大図である。図４は、ばねの斜視図である。図５は、ひだ部が広い領域に配置された台形状ばねの第２実施形態を示す平面図である。図６は、ばねの対応する側面図である。図７は、ひだ部の拡大図である。図８は、図５のばねの斜視図である。図９は、ひだ部を有する台形状ばね及び駆動要素の別の実施形態の斜視図である。図１０は、図９のばねの側面図である。図１１は、架橋ばねの実施形態を示す図である。図１２は、コンタクト及び駆動要素を有する架橋ばね及びハウジングを示す図である。図１３は、第１安定最終状態の架橋ばねの側面図である。図１４は、第２安定最終状態の架橋ばねの側面図である。図１５は、コンタクト及び駆動要素を有する第２最終安定状態のばねを概略的に示す図である。図１６は、図１のばねを使用する、カバーハウジングを除いたスイッチの分解図である。図１７は、図１６のスイッチの斜視図である。図１８は、ひだ部及び駆動要素を有する、電気的に分離された二重スナップ動作ばねの実施形態を示す側面図である。図１９は、固定コンタクトを有する図１８のスナップ動作ばねを９０°回転させた別の側面図である。図２０は、図１８のスナップ動作ばねのコンタクト配置を示す概略図である。図２１は、図１８の駆動要素を有する逆極性のばねとして使用され得るスナップ動作ばね用の等価電気回路図である。
【００２３】
図１ないし図４は、本発明の双安定電気スイッチ用ばねの第１実施形態を示す。ばね１は、台形をなす双安定非線形スナップ動作ばねであり、広い側２と狭い側３を有する。狭い側３に配置されているのは、リベット又は溶接により領域５又は６にコンタクト要素が固定されたキャリアストリップである。
【００２４】
ばねは、斜め細長の２個のスリット７，８によって３枚の板９，１０，１１に分割されている。板９，１０，１１はそれらの端部で互いに連結されている。横板９，１０は、ひだ部１２，１３による曲げの結果、塑性変形される。ひだ部は台形状ばねの狭い側３付近に配置される。ひだ部１２，１３により板９，１１が短くなる結果、中央板１０に圧力を及ぼす。板１０は一側に膨らむので、圧力を軽減する。このことは図２に特に明瞭に示される。ひだ部の位置は、例えば図３に特に明瞭に示される。台形状ばねの狭い側付近にひだ部１２，１３が配置されることにより、ばねは特に弱く切り換わることができるように製造される。一方の最終状態から他方の最終状態へ移行するための力は、ひだ部の位置により、及びばねを広げる結果、決定することができる。２つの最終状態は、中央板１０が膨らむ側により決められる。
【００２５】
図５ないし図８は、本発明の双安定電気スイッチ用の別の実施形態のばね１’を示す。ばね１’は、ひだ部１２’，１３’の位置が第１実施形態のばね１と異なる。第２実施形態のひだ部１２’，１３’は、ばねの広い側２’付近に配置される。この配置により、切換え操作に要する力が増大する。
【００２６】
最初の２実施形態に示される台形状ばねは、各実施形態において広い側２を例えばハウジングすなわちベースにしっかりと固定されている。形状記憶材料製のワイヤは、ばねの各側がキャリアストリップ４及び例えばハウジングに固定され、一方の相から他方の相への移行中に短くなる。これにより、中央板が一側または他側に向かって膨らむので、ばねは２つの安定した最終状態の一方をとる。
【００２７】
最初の２実施形態に示された固定された広い側２を有する台形状ばねのばね形状は、負荷がかけられると、特に一様なカーブのばねとなる。
【００２８】
台形状ばね１０１は、図９及び図１０に示された第３実施形態にも示される。しかし、このばねは狭い側１０２がしっかりと固定されている。キャリアストリップ１０４は、広い側１０３に配置され、コンタクト要素１１４，１１５，１１６を担持する。また、台形状ばね１０１も、中央板１１０と、ひだ部によりそれぞれ短くされた２枚の横板１０９，１１１とを有する。
【００２９】
各側のキャリアストリップ４には短いレバーアーム１１７がある。ワイヤ１１８，１１９はこのレバーアームに固定されることがある。ワイヤ１１８又は１１９に電流が流れると、ワイヤが発熱する結果、第２の短い相に入る。この短い相によりキャリアストリップ１１４は傾くので、中央板１１０の膨らみは一側から他側に素早く移動する。その結果、台形状ばね１０１は第２安定最終位置に移行する。
【００３０】
ワイヤに電流が流れる際の発熱は比較的ゆっくり生ずる。しかし、スナップ動作機構は、電気コンタクトが素早く開離し、スナップ動作によって他側に移動し、スナップ動作により他側に接触力が生ずることを保証する。
【００３１】
キャリアストリップ１０４において、両側に互いに逆向きのコンタクトを配置するように電気コンタクト要素１１６を固定することが可能であり、ばねの切換え動作の際に、コンタクトが対となって開閉する。電流が両コンタクトを介して負荷回路に流れると、より高い直流電圧も接続される。
【００３２】
スイッチがリレーとして使用される場合、逆向きのコンタクトがコンタクトピンを用いてリレーの外部電気接続を実現する。また、ばねの両側に設けられたワイヤ１１８，１１９も、リレーのベースに連結されて外側に電気的に案内される。
【００３３】
ワイヤ１１８，１１９が斜め内方に延びるので、ばねが一方の最終状態から他方の最終状態に素早く移動する前にコンタクトが開離することが防止される。
【００３４】
電流が形状記憶材料製のワイヤを流れると、ワイヤは発熱して相が変わり、ワイヤを短くする。この結果、中央板の上端は水平横断軸の回りに弾性的に曲がり、ばねは第２安定最終状態に素早く移動する。その結果、今度は他側のワイヤが伸ばされ、逆方向の切換え動作に使用することができる。
【００３５】
本発明の別の実施形態を図１１ないし図１５を参照して説明する。この実施形態は、平坦形状のばねとして形成された架橋ばね２０１である。架橋ばねは２個の細長スロット２０７，２０８を有し、これらスロットにより３枚の板２０９，２１０，２１１に分割される。２枚の外側板２０９，２１１は２個のひだ部２１２，２１３をそれぞれ有する。両側の両自由端２０２，２０３にはコンタクト要素２１６，２１７が配置されている。外側板２０９，２１１は横キャリアストリップ２２０を有し、これらキャリアストリップで外側板がハウジング２２１に配置される。中央領域において、中央板２１０に作用するのは形状記憶材料製のワイヤ２１８，２１９に接続された駆動要素である。ワイヤ２１８に電流が流れると、ワイヤが短くなり、中央板２１０の縦軸に直交する方向に駆動要素２１４が移動するので、他の膨らみ方向に中央板２１０の撓みが開始し、スナップ動作ばねが第２最終位置へ素早く移動する。
【００３６】
図１３及び図１４は、架橋ばねの２つの安定最終状態を示す。図１５は、安定最終状態の架橋ばねを示し、対向するコンタクト２２２，２２３も示される。
【００３７】
図１６及び図１７を参照して、図１ないし図４の第１実施形態のばね１が使用されるリレーを説明する。
【００３８】
端部２を有するばね１が収容されたプラスチック材料製のベース３０が示される。ベース３０は、コンタクトピン３２，３４がベース３０を通過する開口３１を有する。
【００３９】
コンタクトピン３２はワイヤ１８，１９用の保持部３３に接続される。
【００４０】
コンタクトピン３４は固定コンタクト要素３５に接続される。
【００４１】
ワイヤ１８，１９は、レバーアーム１７を介してばね１に接続される。ワイヤ１８，１９は、レバーアーム１７の中空リベット３６を通ってそれぞれ案内される。
【００４２】
図１８ないし図２１を参照して、逆極性スイッチとして使用され得る本発明のスイッチを説明する。図１８及び図１９は、ひだ部及び駆動要素を有する電気的に分離された二重スナップ動作ばね３０１の実施形態を互いに直交する２方向から見た側面図である。
【００４３】
非線形スナップ動作ばね３０１は、非導電性材料製の要素３０５，３０６により下端３０３及び上端３０４の両方で互いに寸法的に安定した状態で接続された２枚のばね３０２，３０２’からなる。２枚のばね３０２，３０２’は、同様に配置され、ばねの延長線に対して互いに鏡像関係にある。これらばねの間には、非導電性接続要素３０５，３０６により架橋された空隙３０７がある。
【００４４】
２枚のばねは、例えば全長を超えたプラスチック材料で押出しコーティング又はホットスタンピングによって下側にしっかりと接続されている。２枚のばねは、例えばＬＣＰ（液晶ポリマ）等の任意の熱抵抗性のプラスチック材料により上端で互いに接続される。この接続は、駆動要素すなわちアクチュエータ用の取付け要素として同時に構成することができる。
【００４５】
各ばね３０２，３０２’は、導電性及びばね特性を有する材料製である。ばねは、ＣｕＢｅ２ばね板等の良好なばね特性を有する銅合金で製造することができる。これら単一ばね３０２，３０２’のスナップ動作は、両端面で互いに接続された、異なる長さを有する少なくとも２枚の細長部（板）からなるという事実の結果である。その結果生ずる応力は、２つのスイッチ状態を構成する２つの異なる安定状態でより長い板の横方向の逃げを保証する。これらばねの２枚の長方形板は、それらを短くさせる、２枚の板の一方への打抜き加工により補強することができる。
【００４６】
２つの安定状態間の変化は、形状記憶材料製のワイヤ３１８，３１９の形状でアクチュエータを介して実現することができることが利点である。ワイヤは、スナップ動作ばねの両側に配置され、通電及びそれによる発熱の結果、長さが異なる。形状記憶要素の一端は、リレーの下側でベースに固定することができる。
【００４７】
しかし、駆動は電磁コイルによって行われてもよい。
【００４８】
２個のばね３０２，３０２’は、転換スイッチコンタクト構造の中央コンタクトをそれぞれ構成する。これらばねは、両側に接触点３１４，３１４’を担持し、２個の固定コンタクト３２０間をそれぞれ移動する。
【００４９】
下側において、ばね３０２，３０２’が半田接続３２１，３２１’又はリレーのプラグ型接続により外部に電気的に接続される。
【００５０】
スナップ動作ばねの可動中央コンタクトは、スナップ動作ばねの２つの安定状態で対向するコンタクトに接触する。これらの対向する固定コンタクトは、リレーの外側で対応する半田接続ピン又はプラグ型接続に電気的に接続される。
【００５１】
電気的に分離された２枚の単一ばねは機械的には一体物を形成するが、図２０及び図２１に示されるように、接続された二重転換コンタクトとなるコンタクト配置である。このため、比較的簡単で、特に例えばモーターの逆極性スイッチ内に非常に低コストで組み込むことができる。
【図面の簡単な説明】
【図１】ひだ部がばねの狭い領域に配置された台形状ばねの第１実施形態の平面図である。
【図２】図１のばねの側面図である。
【図３】ひだ部の拡大図である。
【図４】ばねの斜視図である。
【図５】ひだ部が広い領域に配置された台形状ばねの第２実施形態を示す平面図である。
【図６】ばねの対応する側面図である。
【図７】ひだ部の拡大図である。
【図８】図５のばねの斜視図である。
【図９】ひだ部を有する台形状ばね及び駆動要素の別の実施形態の斜視図である。
【図１０】図９のばねの側面図である。
【図１１】架橋ばねの実施形態を示す図である。
【図１２】コンタクト及び駆動要素を有する架橋ばね及びハウジングを示す図である。
【図１３】第１安定最終状態の架橋ばねの側面図である。
【図１４】第２安定最終状態の架橋ばねの側面図である。
【図１５】コンタクト及び駆動要素を有する第２最終安定状態のばねを概略的に示す図である。
【図１６】図１のばねを使用する、カバーハウジングを除いたスイッチの分解図である。
【図１７】図１６のスイッチの斜視図である。
【図１８】ひだ部及び駆動要素を有する、電気的に分離された二重スナップ動作ばねの実施形態を示す側面図である。
【図１９】固定コンタクトを有する図１８のスナップ動作ばねを９０°回転させた別の側面図である。
【図２０】図１８のスナップ動作ばねのコンタクト配置を示す概略図である。
【図２１】図１８の駆動要素を有する逆極性のばねとして使用され得るスナップ動作ばね用の等価電気回路図である。
【符号の説明】
１，１’，１０１，２０１ 　ばね
９，１０，１１，１０９，１１０，１１１，２０９，２１０，２１１　板
１４，１１４，１１５，１１６，２１４，２１６　コンタクト要素
１８，１９，１１８，１１９，２１８，２１９　　駆動要素
１０２　　　　　　　　　一端
１０４　　　　　　　　　自由端
３０１　　　　　　　　　スナップ動作ばね
３０２，３０２’ 　　　　単一ばね
３０５，３０６　　　　　接続要素
【図１】
2004510288.tif 000003
【図２】
2004510288.tif 000004
【図３】
2004510288.tif 000005
【図４】
2004510288.tif 000006
【図５】
2004510288.tif 000007
【図６】
2004510288.tif 000008
【図７】
2004510288.tif 000009
【図８】
2004510288.tif 000010
【図９】
2004510288.tif 000011
【図１０】
2004510288.tif 000012
【図１１】
2004510288.tif 000013
【図１２】
2004510288.tif 000014
【図１３】
2004510288.tif 000015
【図１４】
2004510288.tif 000016
【図１５】
2004510288.tif 000017
【図１６】
2004510288.tif 000018
【図１７】
2004510288.tif 000019
【図１８】
2004510288.tif 000020
【図１９】
2004510288.tif 000021
【図２０】
2004510288.tif 000022
【図２１】
2004510288.tif 000023
【国際公開パンフレット】
2004510288.tif 000024
2004510288.tif 000025
2004510288.tif 000026
2004510288.tif 000027
2004510288.tif 000028
2004510288.tif 000029
2004510288.tif 000030
2004510288.tif 000031
2004510288.tif 000032
2004510288.tif 000033
2004510288.tif 000034
2004510288.tif 000035
2004510288.tif 000036
2004510288.tif 000037
2004510288.tif 000038
2004510288.tif 000039
2004510288.tif 000040
2004510288.tif 000041
2004510288.tif 000042
2004510288.tif 000043
2004510288.tif 000044
2004510288.tif 000045
2004510288.tif 000046
2004510288.tif 000047
2004510288.tif 000048
2004510288.tif 000049
2004510288.tif 000050
2004510288.tif 000051
【国際調査報告】
2004510288.tif 000052
2004510288.tif 000053
2004510288.tif 000054
2004510288.tif 000055
2004510288.tif 000056
2004510288.tif 000057